(57)【要約】【課題】補充路から搬送路へのトナーの補充を停止する性能を向上させる。【解決手段】補充機構は、現像剤が搬送される搬送路の上側且つトナーの補充路の下側に配置され、前記現像剤を保持しつつ前記搬送路の搬送方向に沿った軸線周りに回転する回転体と、前記回転体の回転方向において前記補充路に対する下流側に前記回転体の外周一部に沿って設けられ、該補充路からのトナーが前記回転方向に沿って前記搬送路へ流通する通路と、前記通路を含み且つ前記通路から前記回転体の径方向外側へ延び出た領域に設けられ、前記搬送路から上側へ移動した現像剤を滞留させる滞留部と、を備える。【選択図】図４
2020046576.tif 000002
【特許請求の範囲】
【請求項１】
現像剤が搬送される搬送路の上側且つトナーの補充路の下側に配置され、前記現像剤を保持しつつ前記搬送路の搬送方向に沿った軸線周りに回転する回転体と、
前記回転体の回転方向において前記補充路に対する下流側に前記回転体の外周一部に沿って設けられ、該補充路からのトナーが前記回転方向に沿って前記搬送路へ流通する通路と、
前記通路を含み且つ前記通路から前記回転体の径方向外側へ延び出た領域に設けられ、前記搬送路から上側へ移動した現像剤を滞留させる滞留部と、
を備える補充機構。
【請求項２】
現像剤が搬送される搬送路の上側且つトナーの補充路の下側に配置され、前記現像剤を保持しつつ前記搬送路の搬送方向に沿った軸線周りに回転する回転体と、
前記回転体の回転方向において前記補充路に対する下流側に前記回転体の外周一部に沿って設けられ、該補充路からのトナーが前記回転方向に沿って前記搬送路へ流通する通路と、
前記通路と、前記通路を流通するトナーが通過しない領域と、を含んで設けられ、前記搬送路から上側へ移動した現像剤を滞留させる滞留部と、
を備える補充機構。
【請求項３】
前記滞留部は、前記搬送方向の上流側を向く塞き止め面で塞き止められた前記現像剤を滞留させる
請求項１又は２に記載の補充機構。
【請求項４】
前記塞き止め面は、前記回転体における前記搬送方向の下流端よりも上流側に配置されている
請求項３に記載の補充機構。
【請求項５】
前記塞き止め面は、前記補充路における前記搬送方向の下流端に沿って配置されている
請求項４に記載の補充機構。
【請求項６】
前記搬送路の上側から前記搬送路に張り出し、下面が前記搬送路の路面を構成する張出部、を備え、
前記塞き止め面は、前記張出部の上流端に形成されている請求項３〜５のいずれか１項に記載の補充機構。
【請求項７】
前記張出部における前記下面よりも上側に形成され、前記滞留部に滞留する現像剤の上方への移動を規制する規制面、
を備える請求項６に記載の補充機構。
【請求項８】
前記搬送路には、前記搬送方向に沿った軸線周りに回転して前記現像剤を搬送する搬送部材が配置され、
前記滞留部は、前記搬送部材の回転中心の鉛直上方位置に対する前記通路側とは反対側の領域を含んで設けられている
請求項１〜７のいずれか１項に記載の補充機構。
【請求項９】
前記搬送部材は、前記搬送方向に沿った軸部と、前記軸部の外周面に螺旋状に形成され、前記軸部の回転により前記現像剤を搬送する羽根と、を有し、
前記滞留部は、前記通路から前記軸部の回転方向上流側へ向かって形成されている
請求項８に記載の補充機構。
【請求項１０】
前記搬送路が内部に形成された筐体とは別体とされ、前記回転体を回転可能に支持し、前記通路及び前記滞留部が設けられた支持体、
を備える請求項１〜９のいずれか１項に記載の補充機構。
【請求項１１】
前記搬送路と、
前記搬送路へトナーを補充する請求項１〜１０のいずれか１項に記載の補充機構と、
を備える現像装置。
【請求項１２】
潜像を保持する潜像保持体と、
前記潜像を現像する請求項１１に記載の現像装置と、
前記現像装置によって現像された画像を記録媒体に転写する転写部と、
を備える画像形成装置。
【発明の詳細な説明】
【技術分野】
【０００１】
本発明は、補充機構、現像装置、及び画像形成装置に関する。
【背景技術】
【０００２】
特許文献１には、トナーホッパーから現像剤収納ケースに新しいトナーを補給する機構にアジテータを用い、トナー補給口にアーチ型・三角錐型のプレドクターが配置されている現像装置が開示されている。
【先行技術文献】
【特許文献】
【０００３】
【特許文献１】特開２００１−２４９５３７号公報
【発明の概要】
【発明が解決しようとする課題】
【０００４】
ここで、現像剤が搬送される搬送路へ補充されるトナーが流通する通路に、現像剤を滞留させることで、トナーの補充を停止する構成では、現像剤の滞留量が少ないと、トナーの補充が停止されずに、だらだらとトナーが搬送路へ補充される場合がある。
【０００５】
本発明は、通路のみで現像剤を滞留させる構成に比べ、補充路から搬送路へのトナーの補充を停止する性能を向上させることを目的とする。
【課題を解決するための手段】
【０００６】
請求項１の発明は、現像剤が搬送される搬送路の上側且つトナーの補充路の下側に配置され、前記現像剤を保持しつつ前記搬送路の搬送方向に沿った軸線周りに回転する回転体と、前記回転体の回転方向において前記補充路に対する下流側に前記回転体の外周一部に沿って設けられ、該補充路からのトナーが前記回転方向に沿って前記搬送路へ流通する通路と、前記通路を含み且つ前記通路から前記回転体の径方向外側へ延び出た領域に設けられ、前記搬送路から上側へ移動した現像剤を滞留させる滞留部と、を備える。
【０００７】
請求項２の発明は、現像剤が搬送される搬送路の上側且つトナーの補充路の下側に配置され、前記現像剤を保持しつつ前記搬送路の搬送方向に沿った軸線周りに回転する回転体と、前記回転体の回転方向において前記補充路に対する下流側に前記回転体の外周一部に沿って設けられ、該補充路からのトナーが前記回転方向に沿って前記搬送路へ流通する通路と、前記通路と、前記通路を流通するトナーが通過しない領域と、を含んで設けられ、前記搬送路から上側へ移動した現像剤を滞留させる滞留部と、を備える。
【０００８】
請求項３の発明では、前記滞留部は、前記搬送方向の上流側を向く塞き止め面で塞き止められた前記現像剤を滞留させる。
【０００９】
請求項４の発明では、前記塞き止め面は、前記回転体における前記搬送方向の下流端よりも上流側に配置されている。
【００１０】
請求項５の発明では、前記塞き止め面は、前記補充路における前記搬送方向の下流端に沿って配置されている。
【００１１】
請求項６の発明は、前記搬送路の上側から前記搬送路に張り出し、下面が前記搬送路の路面を構成する張出部、を備え、前記塞き止め面は、前記張出部の上流端に形成されている。
【００１２】
請求項７の発明は、前記張出部における前記下面よりも上側に形成され、前記滞留部に滞留する現像剤の上方への移動を規制する規制面、を備える。
【００１３】
請求項８の発明における前記搬送路には、前記搬送方向に沿った軸線周りに回転して前記現像剤を搬送する搬送部材が配置され、前記滞留部は、前記搬送部材の回転中心の鉛直上方位置に対する前記通路側とは反対側の領域を含んで設けられている。
【００１４】
請求項９の発明では、前記搬送部材は、前記搬送方向に沿った軸部と、前記軸部の外周面に螺旋状に形成され、前記軸部の回転により前記現像剤を搬送する羽根と、を有し、前記滞留部は、前記通路から前記軸部の回転方向上流側へ向かって形成されている。
【００１５】
請求項１０の発明は、前記搬送路が内部に形成された筐体とは別体とされ、前記回転体を回転可能に支持し、前記通路及び前記滞留部が設けられた支持体、を備える。
【００１６】
請求項１１の発明は、前記搬送路と、前記搬送路へトナーを補充する請求項１〜１０のいずれか１項に記載の補充機構と、を備える。
【００１７】
請求項１２の発明は、潜像を保持する潜像保持体と、前記潜像を現像する請求項１１に記載の現像装置と、前記現像装置によって現像された画像を記録媒体に転写する転写部と、を備える。
【発明の効果】
【００１８】
本発明の請求項１、２の構成によれば、通路のみで現像剤を滞留させる構成に比べ、補充路から搬送路へのトナーの補充を停止する性能を向上させることができる。
【００１９】
本発明の請求項３の構成によれば、搬送方向の上流側を向く塞き止め面で現像剤を塞き止めずに現像剤を滞留させる構成に比べ、補充路から搬送路へのトナーの補充を停止する性能を向上させることができる。
【００２０】
本発明の請求項４の構成によれば、塞き止め面が回転体における搬送方向の下流端よりも下流側に配置される構成に比べ、補充路から搬送路へのトナーの補充を停止する性能を向上させることができる。
【００２１】
本発明の請求項５の構成によれば、塞き止め面が、補充路における搬送方向の下流端よりも下流側に配置される構成に比べ、補充路から搬送路へのトナーの補充を停止する性能を向上させることができる。
【００２２】
本発明の請求項６の構成によれば、塞き止め面が、張出部とは別の部材に形成される構成に比べ、部品点数を低減できる。
【００２３】
本発明の請求項７の構成によれば、滞留部で滞留した現像剤の上方への移動が許容される構成に比べ、補充路から搬送路へのトナーの補充を停止する性能を向上させることができる。
【００２４】
本発明の請求項８の構成によれば、滞留部が、搬送部材の回転中心の鉛直上方位置に対する通路側の領域のみに設けられる構成に比べ、補充路から搬送路へのトナーの補充を停止する性能を向上させることができる。
【００２５】
本発明の請求項９の構成によれば、滞留部が、通路から軸部の回転方向下流側へのみ向かって形成される構成に比べ、補充路から搬送路へのトナーの補充を停止する性能を向上させることができる。
【００２６】
本発明の請求項１０の構成によれば、回転体、通路及び滞留部を一体に筐体から分離できる。
【００２７】
本発明の請求項１１の構成によれば、通路のみで現像剤を滞留させる補充機構を備える構成に比べ、現像剤のトナー濃度の変動を抑制できる。
【００２８】
本発明の請求項１２の構成によれば、通路のみで現像剤を滞留させる補充機構を有する現像装置を備える構成に比べ、画質不良を抑制できる。
【図面の簡単な説明】
【００２９】
【図１】本実施形態に係る画像形成装置の構成を示す概略図である。
【図２】本実施形態に係る現像装置を、筐体の上壁の省略した状態で示す平面図である。
【図３】本実施形態に係る現像装置の構成を示す正断面図である。
【図４】図３に示される現像装置の一部を拡大して示す正断面図（図７の４−４線断面図）である。
【図５】図４に示される筐体、支持体、及び蓋部を分解して示す正断面図である。
【図６】本実施形態に係る現像装置の構成を示す側断面図である。
【図７】本実施形態に係る現像装置の筐体に取り付けられた支持体の構成を示す斜視図である。
【図８】本実施形態に係る支持体の構成を示す斜視図である。
【図９】本実施形態に係る支持体の側断面図（図７の９−９線断面図）である。
【図１０】比較例（第一構成）に係る現像装置を示す正断面図である。
【発明を実施するための形態】
【００３０】
以下に、本発明に係る実施形態の一例を図面に基づき説明する。
【００３１】
なお、図中に示す矢印ＵＰは、装置の上方（鉛直上方）を示し、矢印ＤＯは、装置の下方（鉛直下方）を示す。また、図中に示す矢印ＬＨは、装置の左方を示し、矢印ＲＨは、装置の右方を示す。また、図中に示す矢印ＦＲは、装置の前方を示し、矢印ＲＲは、装置の後方を示す。これらの方向は、説明の便宜上定めた方向であるから、装置構成がこれらの方向に限定されるものではない。
【００３２】
また、装置の上方及び下方に沿った方向を、装置の上下方向と称する場合がある。また、装置の左方及び右方に沿った方向を、装置の左右方向と称する場合がある。装置の左右方向は、装置の幅方向（水平方向）でもある。また、装置の前方及び後方に沿った方向を、装置の前後方向と称する場合がある。装置の前後方向は、装置の奥行方向（水平方向）でもある。なお、装置の各方向において、「装置」の語を省略して称する場合がある。すなわち、例えば、「装置の上方」を、単に「上方」と称する場合がある。
【００３３】
また、図中の「○」の中に「×」が記載された記号は、紙面の手前から奥へ向かう矢印を意味する。また、図中の「○」の中に「・」が記載された記号は、紙面の奥から手前へ向かう矢印を意味する。
【００３４】
＜画像形成装置１０＞
まず、本実施形態に係る画像形成装置１０について説明する。図１は、画像形成装置１０の構成を示す概略図である。
【００３５】
図１に示されるように、画像形成装置１０は、用紙Ｐが収容される用紙収容部１２と、用紙Ｐを搬送する搬送部１４と、用紙Ｐに画像を形成する画像形成部１６と、を備えている。
【００３６】
（用紙収容部１２）
用紙収容部１２には、画像形成装置１０の筐体１０Ａから前方側に引き出し可能な収容部材１２Ａが備えられており、この収容部材１２Ａに用紙Ｐが積載されている。さらに、用紙収容部１２には、収容部材１２Ａに積載された用紙Ｐを、搬送部１４を構成する搬送経路１４Ａに送り出す送出ロール１４Ｂが設けられている。ここで、用紙Ｐは、記録媒体の一例である。
【００３７】
（搬送部１４）
搬送部１４は、搬送経路１４Ａに沿って、用紙Ｐを収容部材１２Ａから送り出す送出ロール１４Ｂと、用紙Ｐを、画像形成部１６を経由して用紙排出部１０Ｂまで搬送する複数の搬送ロール１４Ｃと、を備えている。
【００３８】
（画像形成部１６）
画像形成部１６は、黒色のトナー像を形成する画像形成ユニット１８を有している。画像形成ユニット１８は、潜像を保持する潜像保持体の一例としての感光体ドラム２０と、露光装置２６と、帯電装置としての帯電ロール２４と、現像装置３０と、を備えている。
【００３９】
画像形成ユニット１８では、帯電ロール２４が感光体ドラム２０を帯電させる。さらに、露光装置２６が、帯電ロール２４によって帯電された感光体ドラム２０を露光して、静電潜像（潜像の一例）を形成する。現像装置３０は、露光装置２６によって感光体ドラム２０に形成された静電潜像を現像してトナー像（画像の一例）を形成する。なお、現像装置３０の具体的な構成は、後述する。
【００４０】
さらに、画像形成部１６は、現像装置３０によって現像されたトナー像を用紙Ｐに転写する転写部の一例としての転写ロール２２と、熱と圧力とでトナー像を用紙Ｐに定着する定着装置２８と、を備えている。
【００４１】
〔現像装置３０〕
次に、現像装置３０について、図２から図９を参照しながら説明する。
【００４２】
現像装置３０は、図２及び図３に示されるように、トナーＴＮを含む現像剤Ｇを搬送する搬送機構３１と、搬送機構３１が搬送した現像剤Ｇを感光体ドラム２０の静電潜像へ供給する供給体の一例としての現像ロール３４と、搬送機構３１へトナーＴＮを補充する補充機構３９と、を有している。
【００４３】
搬送機構３１は、図３に示されるように、筐体３２と、蓋部３３と、現像ロール３４に現像剤Ｇを供給する供給オーガ３８と、現像剤Ｇを撹拌する撹拌オーガ９０と、張出部８０と、を備えている。なお、本実施形態における現像剤Ｇは、トナーＴＮと磁性キャリアとを主要成分として構成されている二成分現像剤である。ここで、トナーＴＮ及び現像剤Ｇは、粉体の一例である。
【００４４】
以下、搬送機構３１の各部（筐体３２、供給オーガ３８、撹拌オーガ９０、及び張出部８０）、現像ロール３４、及び補充機構３９の具体的な構成を説明する。
【００４５】
［筐体３２］
筐体３２は、図３に示されるように、現像剤Ｇを収容している。この筐体３２は、上部が開放された箱体で構成されている。筐体３２の開放された上部には、蓋部３３が設けられている。この蓋部３３が筐体３２の開放された上部を閉じている。なお、後述の支持体７０が筐体３２に配置された状態で、蓋部３３が該筐体３２の上部に配置される（図４及び図５参照）。
【００４６】
また、筐体３２は、図３に示されるように、感光体ドラム２０の隣（左側）に配置されており、筐体３２において、感光体ドラム２０を臨む部分には、筐体３２の内部を開放する開口部３２Ａが前後方向に延びて形成されている。また、開口部３２Ａを挟んで感光体ドラム２０の反対側には、現像ロール３４が配置されている受渡路３２Ｂが、前後方向に延びて形成されている。
【００４７】
また、受渡路３２Ｂの斜め下方には、供給オーガ３８が配置されている供給路３２Ｄが前後方向に延びて形成されている。また、供給路３２Ｄを挟んで受渡路３２Ｂの反対側には、撹拌オーガ９０が配置されている撹拌路３２Ｃが前後方向に延びて形成されている。
【００４８】
また、供給路３２Ｄ、及び撹拌路３２Ｃを形成する壁面は、断面Ｕ字状とされている。撹拌路３２Ｃは、当該断面Ｕ字状の壁面と、張出部８０の後述する円弧状の下面８５で区画された空間とされる。撹拌路３２Ｃは、円柱状の空間、すなわち、前後方向視にて円形状の空間で構成されている。さらに、供給路３２Ｄと撹拌路３２Ｃとの間には、供給路３２Ｄと撹拌路３２Ｃとを仕切る仕切壁３２Ｅが形成されている。
【００４９】
図２に示されるように、筐体３２において、供給路３２Ｄの前方側から後方側に亘って、供給オーガ３８が配置されている。なお、図２では、供給オーガ３８の左右端部のみが図示されている。また、撹拌路３２Ｃの前方側から後方側に亘って、撹拌オーガ９０が配置されている。
【００５０】
撹拌路３２Ｃと供給路３２Ｄとは、前端部同士と、後端部同士と、がそれぞれ接続されており、現像剤Ｇは撹拌路３２Ｃ及び供給路３２Ｄを循環する構成とされている。仕切壁３２Ｅは、前後方向において、撹拌路３２Ｃ及び供給路３２Ｄにおける前端部での接続部分と、後端部の接続部分との間に配置されている。
【００５１】
［現像ロール３４］
現像ロール３４は、図３に示されるように、受渡路３２Ｂに配置されている。この現像ロール３４は、筐体３２の開口部３２Ａを通じて、感光体ドラム２０と対向している。現像ロール３４と感光体ドラム２０との間には、現像ロール３４から感光体ドラム２０に現像剤Ｇを受け渡すための間隙（現像ギャップ）が形成されている。
【００５２】
そして、現像ロール３４は、断面円状のマグネットロール３４Ａと、マグネットロール３４Ａに被せられ、マグネットロール３４Ａの周りを回転する回転スリーブ３４Ｂと、を含んで構成されている。
【００５３】
この回転スリーブ３４Ｂは、図示せぬ駆動源から回転力が伝達されて、図中矢印Ａ方向（時計方向）に回転するようになっている。
【００５４】
［供給オーガ３８］
供給オーガ３８は、図３に示されるように、供給路３２Ｄに配置されている。すなわち、供給オーガ３８は、筐体３２の内部に配置されている。この供給オーガ３８は、供給路３２Ｄにおいて現像剤Ｇを搬送する搬送部材として機能する。具体的には、供給オーガ３８は、後方側から前方側へ現像剤Ｇを搬送する機能を有している。したがって、供給路３２Ｄでは、後方側が現像剤Ｇの搬送方向上流側であり、前方側が現像剤Ｇの搬送方向下流側である。なお、本明細書では、「搬送方向上流側」を単に「上流側」と称し、「搬送方向下流側」を単に「下流側」と称する場合がある。
【００５５】
供給オーガ３８は、前後方向に延びている供給軸３８Ａと、供給軸３８Ａの外周面に形成されている螺旋状の供給羽根３８Ｂと、を含んで構成されている。
【００５６】
供給軸３８Ａの両端部は、筐体３２の壁部に回転可能に支持されており、供給軸３８Ａが駆動源（図示省略）によって回転される。
【００５７】
この構成において、回転する供給オーガ３８は、供給路３２Ｄの現像剤Ｇを後方側（上流側）から前方側（下流側）に搬送しながら、現像剤Ｇを現像ロール３４に供給するようになっている。また、回転する供給オーガ３８は、供給路３２Ｄの下流側（前方側）に搬送した現像剤Ｇを、撹拌路３２Ｃの上流側（前方側）で、撹拌路３２Ｃの撹拌オーガ９０に受け渡す。なお、撹拌路３２Ｃは、「搬送路」の一例である。
【００５８】
［撹拌オーガ９０］
撹拌オーガ９０は、図２及び図３に示されるように、撹拌路３２Ｃに配置されている。すなわち、撹拌オーガ９０は、筐体３２の内部に配置されている。この撹拌オーガ９０は、撹拌路３２Ｃにおいて現像剤Ｇを搬送する機能を有している。具体的には、撹拌オーガ９０は、前方側から後方側へ現像剤Ｇを搬送する機能を有している。したがって、撹拌路３２Ｃでは、前方側が現像剤Ｇの搬送方向上流側であり、後方側が現像剤Ｇの搬送方向下流側である。
【００５９】
撹拌オーガ９０は、具体的には、図６に示されるように、撹拌軸９８と、第一羽根９１と、第二羽根９２と、第三羽根９３と、第四羽根９４と、一対の突出部９９と、第五羽根９５（図２参照）と、を有している。
【００６０】
撹拌オーガ９０では、撹拌軸９８が前後方向（搬送方向）に沿った軸線周りに回転することで、第一羽根９１、第二羽根９２、第三羽根９３、第四羽根９４、一対の突出部９９及び第五羽根９５で、補充機構３９から撹拌路３２Ｃに補充されたトナーＴＮと、供給路３２Ｄからの現像剤Ｇとを撹拌しながら搬送する。
【００６１】
なお、撹拌オーガ９０は、「搬送部材」の一例である。撹拌軸９８は、「軸部」の一例である。第一羽根９１、第二羽根９２、第三羽根９３、第四羽根９４は、「羽根」の一例である。
【００６２】
以下、撹拌オーガ９０の各部（撹拌軸９８、第一羽根９１、第二羽根９２、第三羽根９３、第四羽根９４、一対の突出部９９及び第五羽根９５）の具体的な構成を説明する。
【００６３】
〈撹拌軸９８〉
撹拌軸９８は、図２に示されるように、撹拌路３２Ｃの長手方向に沿って配置されている。すなわち、撹拌軸９８は、筐体３２の内部において、前後方向に沿って配置されている。撹拌軸９８の軸方向両端部は、筐体３２の壁部に回転可能に支持されている。撹拌軸９８は、駆動源（図示省略）から回転力が伝達されて、前後方向（搬送方向）に沿った軸線周りに一方向（図３の反時計回り方向）へ回転する。
【００６４】
さらに、撹拌軸９８は、図２及び図６に示されるように、軸方向の一部で大径とされた大径部９８Ａを有している。この大径部９８Ａが撹拌軸９８の径方向外側に張り出すことで、大径部９８Ａにおける搬送方向の上流端及び下流端のそれぞれには、図６に示されるように、搬送方向の上流側（前方側）を向く上流端面９８Ｘと、搬送方向の下流側（後方側）を向く下流端面９８Ｙと、が形成されている。大径部９８Ａは、図６に示されるように、前後方向（撹拌路３２Ｃにおける搬送方向）において、後述する回転ロール５０に対する後方側（搬送方向下流側）に配置されている。
【００６５】
さらに、図６に示されるように、撹拌軸９８は、大径部９８Ａに対する直上流部分９８Ｂを有している。直上流部分９８Ｂは、大径部９８Ａに対する現像剤Ｇの搬送方向の上流側に大径部９８Ａに連続して設けられた撹拌軸９８の一部分である。また、直上流部分９８Ｂは、撹拌軸９８における大径部９８Ａに対する搬送方向の上流側の部分の一部の範囲に設定される。
【００６６】
また、撹拌軸９８は、直上流部分９８Ｂに対する上流部分９８Ｃを有している。上流部分９８Ｃは、直上流部分９８Ｂに対する現像剤Ｇの搬送方向の上流側に直上流部分９８Ｂに連続して設けられた撹拌軸９８の一部分である。
【００６７】
〈第一羽根９１〉
第一羽根９１は、図６に示されるように、大径部９８Ａの外周面に螺旋状に形成されている。第一羽根９１は、撹拌軸９８の回転により現像剤Ｇを後方（軸方向の一方の一例）へ搬送する。第一羽根９１は、具体的には、一条の羽根で構成されている。
【００６８】
さらに、第一羽根９１は、撹拌軸９８の大径部９８Ａの下流側の外周面に達して形成されている。換言すれば、第一羽根９１は、大径部９８Ａを超えて後方側へ現像剤Ｇを搬送する。なお、第一羽根９１は、大径部９８Ａの下流側において、大径部９８Ａよりも撹拌軸９８の外径が小さくなる分、径方向に沿った寸法が長くなる。
【００６９】
〈第二羽根９２〉
第二羽根９２は、図６に示されるように、撹拌軸９８の直上流部分９８Ｂの外周面に螺旋状に形成されている。第二羽根９２は、撹拌軸９８の回転により現像剤Ｇを後方（軸方向の一方の一例）へ搬送する。
【００７０】
第二羽根９２は、第一羽根９１に連続して形成されている。換言すれば、第一羽根９１の前端部（上流端部）と第二羽根９２の後端部（下流端部）とが連結されている。
【００７１】
図６に示されるように、第二羽根９２は、具体的には、一条の羽根で構成されている。第二羽根９２の外径は、第一羽根９１の外径よりも小さくされている。第二羽根９２の螺旋ピッチは、第一羽根９１の螺旋ピッチと同ピッチされ、第三羽根９３の後述の羽根９３Ａ、９３Ｂの螺旋ピッチ、及び第四羽根９４の後述の各羽根９４Ａ、９４Ｂの螺旋ピッチよりも小さくされている。なお、螺旋ピッチとは、羽根における撹拌軸９８の周方向の３６０度（一周）当たりの軸方向長さをいう。
【００７２】
〈第三羽根９３〉
第三羽根９３は、図６に示されるように、撹拌軸９８の上流部分９８Ｃの外周面に螺旋状に形成されている。この第三羽根９３は、二条の羽根９３Ａ、９３Ｂで構成されている。第三羽根９３では、撹拌軸９８の回転により、二条の羽根９３Ａ、９３Ｂが現像剤Ｇを後方へ搬送する。
【００７３】
〈第四羽根９４〉
第四羽根９４は、図６に示されるように、第一羽根９１に対する下流側において、撹拌軸９８の外周面に形成されている。第四羽根９４は、撹拌軸９８の回転により現像剤Ｇを後方へ搬送する。
【００７４】
第四羽根９４は、具体的には、二条の羽根９４Ａ、９４Ｂで構成されている。この第四羽根９４は、撹拌軸９８の軸方向に複数（例えば、９個）配置されている。第四羽根９４では、撹拌軸９８の回転により、複数の二条の羽根９４Ａ、９４Ｂが現像剤Ｇを後方へ搬送する。第四羽根９４の羽根９４Ａ、９４Ｂの外径は、第一羽根９１の外径、及び第三羽根９３の羽根９３Ａ、９３Ｂの外径と、同じとされている。
【００７５】
〈突出部９９〉
一対の突出部９９は、図６に示されるように、撹拌軸９８の外周面において、第四羽根９４が形成された領域に形成されている。一対の突出部９９は、撹拌軸９８の径方向外側へ突出している。さらに、一対の突出部９９は、図６等に図示する位置とは反対側においても、撹拌軸９８の径方向外側へ突出している。そして、一対の突出部９９は、撹拌軸９８の軸方向に、予め定められた間隔で配置されている。
【００７６】
〈第五羽根９５〉
第五羽根９５は、図２に示されるように、撹拌軸９８の搬送方向下流端部（後端部）の外周面に螺旋状に形成されている。第五羽根９５は、第一羽根９１、第二羽根９２、第三羽根９３及び第四羽根９４とは逆巻きの一条の螺旋状とされている。第五羽根９５は、撹拌軸９８の回転により現像剤Ｇを前方へ搬送する。第五羽根９５は、撹拌路３２Ｃの下流端部（後端部）での現像剤Ｇの滞留を抑制し、撹拌路３２Ｃから供給路３２Ｄへの現像剤Ｇの移動を促進する。
【００７７】
〔補充機構３９〕
補充機構３９は、撹拌路３２ＣにトナーＴＮを補充する機構である。具体的には、補充機構３９は、図３に示されるように、トナーカートリッジ６２と、補充路４０と、回転ロール５０と、支持体７０と、を備えている。
【００７８】
〈トナーカートリッジ６２〉
トナーカートリッジ６２は、図１に示されるように、トナーＴＮを収容する収容部として機能する。このトナーカートリッジ６２は、軸方向両端部が閉じられた円筒状に形成されている。トナーカートリッジ６２には、図３に示されるように、内部のトナーＴＮを落下させて、トナーＴＮを撹拌路３２Ｃへ向けて補充する補充口６２Ａが形成されている。
【００７９】
〈補充路４０〉
補充路４０は、トナーカートリッジ６２から撹拌路３２Ｃへ向けてトナーを補充する通路である。補充路４０は、図３に示されるように、蓋部３３に形成されている。具体的には、補充路４０は、蓋部３３において、撹拌路３２Ｃに対する供給路３２Ｄとは反対側（左側）における斜め上方の位置で開口し、蓋部３３の上方に配置されるトナーカートリッジ６２の補充口６２Ａと接続されている。
【００８０】
さらに、補充路４０は、図６に示されるように、撹拌軸９８の大径部９８Ａに対する上流側（前方側）で開口している。具体的には、補充路４０は、張出部８０に対する上流側（前方側）であって、撹拌軸９８の大径部９８Ａの上流側（前方側）で開口している。
【００８１】
換言すれば、本実施形態は、張出部８０に対する上流側（前方側）であって、撹拌軸９８の大径部９８Ａに対する上流側（前方側）で、筐体３２内（具体的には、撹拌路３２Ｃ）へトナーＴＮが補充される構成とされている。なお、補充路４０は、「トナーの補充路」の一例である。
【００８２】
〈回転ロール５０〉
回転ロール５０は、図４に示されるように、補充路４０の下側に配置されている。平面視にて、補充路４０の下流端部における開口の大きさは、回転ロール５０の外形寸法よりも小さく設定されており、回転ロール５０が、当該開口を塞ぐ位置に配置されている。
【００８３】
また、回転ロール５０は、撹拌路３２Ｃの上側に配置されている。具体的には、回転ロール５０の下端は、回転ロール５０及び撹拌オーガ９０の軸方向から見て、撹拌オーガ９０の上端よりも低い位置に配置されている。さらに、回転ロール５０の右端部は、撹拌オーガ９０の左端部よりも右側に配置されている。すなわち、回転ロール５０と撹拌オーガ９０とは、上下方向及び左右方向ともに重なって配置されている。
【００８４】
また、回転ロール５０は、図６に示されるように、撹拌軸９８の直上流部分９８Ｂの上側で撹拌軸９８に沿って配置されている。具体的には、回転ロール５０は、撹拌軸９８の直上流部分９８Ｂの上方位置と上流部分９８Ｃの上方位置とに跨って配置されている。
【００８５】
回転ロール５０は、図３及び図９に示されるように、磁性体としてのマグネットロール５０Ａと、回転スリーブ５０Ｂと、を有している。
【００８６】
マグネットロール５０Ａは、円柱状に形成されている。マグネットロール５０Ａは、図９に示されるように、軸方向一端部（後端部）から軸方向の一方（後方）へ突出する軸部５０Ｃを有している。マグネットロール５０Ａは、磁力により現像剤Ｇを回転スリーブ５０Ｂの外周に保持される機能を有している。
【００８７】
回転スリーブ５０Ｂは、図４に示されるように、マグネットロール５０Ａの外周を覆う円筒体とされている。具体的には、回転スリーブ５０Ｂは、軸方向他端部（前端部）が閉じられた円筒体とされている。回転スリーブ５０Ｂは、図９に示されるように、軸方向他端部（前端部）から軸方向の他方（前方）へ突出する軸部５０Ｄを有している。
【００８８】
マグネットロール５０Ａは、支持体７０に固定されており、回転しない構成とされている。一方、回転スリーブ５０Ｂは、駆動源５９（図２参照）によって、前後方向に沿った軸線周りに、マグネットロール５０Ａの外周を矢印Ｂ方向に回転する。すなわち、回転スリーブ５０Ｂは、撹拌路３２Ｃの搬送方向に沿った軸線周りに回転する。
【００８９】
マグネットロール５０Ａは、図４に示されるように、内部に内装される第一磁極Ｇ１、第二磁極Ｇ２、及び第三磁極Ｇ３を有している。本実施形態では、例えば、第一磁極Ｇ１の極性はＳ極、第二磁極Ｇ２の極性はＮ極、第三磁極Ｇ３の磁極はＳ極に設定されている。回転ロール５０は、第一磁極Ｇ１、第二磁極Ｇ２及び第三磁極Ｇ３で形成される磁界によって、回転スリーブ５０Ｂの外周に現像剤Ｇを保持する。
【００９０】
回転ロール５０では、回転スリーブ５０Ｂにおける軸方向の中央側の部分に配置された保持領域５１（図８参照）で現像剤Ｇを保持する。回転スリーブ５０Ｂにおける保持領域５１では、図８に示されるように、外周面に凹部５２及び凸部５３が形成されている。この凹部５２及び凸部５３は、回転ロール５０の周方向に交互に形成されている。また、凹部５２及び凸部５３は、それぞれ、回転ロール５０の軸方向に沿って延びて形成されている。図６に示されるように、保持領域５１の前後方向長さは、補充路４０の前後方向長さと同等の長さとされている。具体的には、左右方向視にて、保持領域５１の後端は、補充路４０の後端に沿って配置され、保持領域５１の前端は、補充路４０の前端に沿って配置されている。なお、回転ロール５０は、「回転体」の一例である。
【００９１】
〈支持体７０〉
図４、図５、図６及び図７に示される支持体７０は、回転ロール５０を支持する機能を有している。支持体７０は、図５に示されるように、撹拌路３２Ｃが内部に形成された筐体３２とは別体とされている。具体的には、支持体７０は、図８に示されるように、第一支持部７１と、第二支持部７２と、連結部７６と、形成部７８と、張出部８０と、を有している。この第一支持部７１、第二支持部７２、連結部７６、形成部７８、及び張出部８０は、一体に形成されており、支持体７０は単一の構造体で構成されている。
【００９２】
第一支持部７１は、回転ロール５０の軸方向一端部（後端部）を支持する支持機能を有している。具体的には、第一支持部７１は、図９に示されるように、回転ロール５０のマグネットロール５０Ａを支持する機能を有している。この第一支持部７１は、回転ロール５０に対する軸方向一端側（後方側）に配置されている。さらに、第一支持部７１は、前後方向が厚み方向とされ、円孔７１Ａが形成された壁部で構成されている。第一支持部７１の円孔７１Ａには、マグネットロール５０Ａの軸部５０Ｃを固定する固定部材７４が取り付けられている。これにより、マグネットロール５０Ａは、支持体７０に対して回転しない状態（位置が固定された状態）で支持体７０に支持されている。
【００９３】
第二支持部７２は、回転ロール５０の軸方向他端部（前端部）を回転可能に支持する支持機能を有している。具体的には、第二支持部７２は、回転ロール５０の回転スリーブ５０Ｂを回転可能に支持する機能を有している。
【００９４】
この第二支持部７２は、図８に示されるように、回転ロール５０に対する軸方向他端側（前方側）に配置されている。第二支持部７２は、回転ロール５０に対する前方側へ延び出ており、前後方向を軸方向とする筒状に形成されている。第二支持部７２の内部には、図９に示されるように、回転スリーブ５０Ｂの軸部５０Ｄを回転可能に支持する軸受７３が設けられている。そして、軸受７３に支持された回転スリーブ５０Ｂの軸部５０Ｄは、駆動源５９（図２参照）から伝達部５７を介して駆動力が伝達されて、図４に示されるように、回転スリーブ５０Ｂがマグネットロール５０Ａの周りを矢印Ｂ方向に回転する。
【００９５】
連結部７６は、図８に示されるように、第一支持部７１と第二支持部７２とを連結する機能を有している。具体的には、連結部７６は、第一支持部７１の左端部と第二支持部７２の左端部とを連結している。この連結部７６は、前後方向に沿って延びている。そして、連結部７６の後端部が第一支持部７１の左端部に接続され、連結部７６の前端部が第二支持部７２の左端部に接続されている。
【００９６】
連結部７６は、図４及び図７に示されるように、筐体３２の左壁３２Ｙ（側壁）上に支持されている。連結部７６及び左壁３２Ｙと回転ロール５０との間には、図４に示されるように、撹拌路３２Ｃと補充路４０とを繋ぐ第一路４４が設けられている。具体的には、第一路４４は、回転ロール５０の回転方向Ｂにおいて、補充路４０よりも上流側で、回転ロール５０の外周一部に沿って設けられている。第一路４４は、現像剤Ｇ及びトナーＴＮが流通可能とされている。
【００９７】
形成部７８は、図５及び図８に示されるように、張出部８０が形成される部分である。形成部７８は、図８に示されるように、第一支持部７１の右端部と第二支持部７２の右端部とを連結している。この形成部７８は、前後方向に沿って延びると共に、図４及び図７に示されるように、第一支持部７１及び第二支持部７２から回転ロール５０に対する撹拌オーガ９０側（右側）へ張り出している。
【００９８】
そして、形成部７８と、第一支持部７１、第二羽根９２及び連結部７６とにより、支持体７０は、平面視にて、接続口７９を有する枠状に形成されている（図７参照）。この接続口７９は、図４に示されるように、補充路４０の下端部に接続されている。なお、接続口７９の前後方向長さは、補充路４０の前後方向長さよりも長くされている。
【００９９】
形成部７８は、回転ロール５０に対する右側に張り出すことで、撹拌オーガ９０（撹拌路３２Ｃ）の上側に配置されている。形成部７８の右端部は、図４及び図７に示されるように、仕切壁３２Ｅの上端部に支持されている。
【０１００】
形成部７８と回転ロール５０との間には、図４に示されるように、撹拌路３２Ｃと補充路４０とを繋ぐ第二路４６が設けられている。具体的には、第二路４６は、回転ロール５０の回転方向Ｂにおいて、補充路４０よりも下流側で、回転ロール５０の外周一部に沿って設けられている。第二路４６は、現像剤Ｇ及びトナーＴＮが流通可能とされており、補充路４０からのトナーが回転方向Ｂに沿って撹拌路３２Ｃへ流通する。なお、第二路４６は、「通路」の一例である。
【０１０１】
形成部７８には、回転ロール５０の外周面における周方向の一部に沿って、第二路４６の路面８７が形成されている。路面８７は、回転ロール５０の外周面に対向する面であって、軸方向視にて円弧状とされた円弧面である。具体的には、路面８７は、回転ロール５０の回転中心を円の中心とする円弧状に形成されている。
【０１０２】
張出部８０は、図４及び図８に示されるように、形成部７８から撹拌路３２Ｃに張り出している。すなわち、張出部８０は、図４に示されるように、撹拌路３２Ｃの上側から撹拌路３２Ｃへ向かって張り出している。
【０１０３】
具体的には、張出部８０は、形成部７８から、撹拌オーガ９０における撹拌軸９８の大径部９８Ａに向かって下方側へ張り出している。すなわち、張出部８０は、撹拌軸９８の軸方向において大径部９８Ａが形成された位置の上側から、大径部９８Ａに向かって下方側へ張り出している。
【０１０４】
張出部８０の下面８５は、大径部９８Ａの外周面に沿って、撹拌軸９８の軸方向視にて円弧状に形成されている。この下面８５は、撹拌路３２Ｃの路面を構成している。
【０１０５】
換言すれば、張出部８０は、大径部９８Ａ及びその周辺における撹拌路３２Ｃの路幅を狭くする機能を有している。さらに言えば、張出部８０は、大径部９８Ａ及びその周辺における撹拌路３２Ｃの体積（容積）を小さくする機能を有している。
【０１０６】
図６に示されるように、張出部８０における搬送方向の上流端及び下流端のそれぞれには、搬送方向の上流側（前方側）を向く上流端面８２と、搬送方向の下流側（後方側）を向く下流端面８４と、が形成されている。なお、図６に示される張出部８０は、図４の一点鎖線Ｈ１で切断した断面であり、図６に示される蓋部３３及び補充路４０は、図４の一点鎖線Ｍで切断した断面である。
【０１０７】
張出部８０の上流端面８２は、撹拌路３２Ｃを搬送される現像剤Ｇを塞き止める塞き止め面とされている。以下、上流端面８２を塞き止め面８２と称する場合がある。そして、この塞き止め面８２が、撹拌路３２Ｃを搬送される現像剤Ｇを塞き止めることで、現像剤Ｇが滞留される。
【０１０８】
塞き止め面８２によって現像剤Ｇが滞留される滞留空間７５は、図４に示されるように、第二路４６を含み且つ第二路４６から回転ロール５０の径方向外側（右側）へ延び出た領域に設けられている。滞留空間７５には、塞き止め面８２で塞き止められることで、撹拌路３２Ｃから上側へ移動した現像剤Ｇが滞留する。なお、滞留空間７５は、滞留部の一例である。
【０１０９】
換言すれば、滞留空間７５は、第二路４６と、第二路４６を流通するトナーＴＮが通過しない領域と、を含んで設けられている。すなわち、滞留空間７５は、トナーＴＮが補充路４０から撹拌路３２Ｃまでを流通する際に、当該トナーＴＮが通過しない領域を含んでいる。さらに換言すれば、第二路４６を流通するトナーＴＮが接触しない位置を含んで塞き止め面８２が形成されているともいえる。さらに言えば、滞留空間７５は、補充路４０から撹拌路３２Ｃへ流通する流通経路の経路外を含んで形成されているといえる。
【０１１０】
さらに説明すれば、滞留空間７５は、撹拌路３２Ｃの上側に配置された空間である。なお、撹拌路３２Ｃは、前述のように、筐体３２に形成された断面Ｕ字状の壁面と、張出部８０の円弧状の下面８５と、で区画された空間であって、前後方向視にて円形状の空間で構成されている。
【０１１１】
塞き止め面８２は、図６に示されるように、回転ロール５０における搬送方向の下流端よりも上流側に配置されている。具体的には、塞き止め面８２は、回転ロール５０における搬送方向の上流端よりも下流側であって、回転ロール５０における搬送方向の下流端よりも上流側に配置されている。さらに具体的には、塞き止め面８２は、回転ロール５０の保持領域５１における搬送方向の下流端から、回転ロール５０における搬送方向の下流端までの位置に配置されている。さらに具体的には、塞き止め面８２は、回転ロール５０の保持領域５１における搬送方向の下流端に沿って配置されている。すなわち、塞き止め面８２は、前後方向において、回転ロール５０の保持領域５１における搬送方向の下流端と同じ位置に配置されている。
【０１１２】
塞き止め面８２は、補充路４０における搬送方向の下流端に沿って配置されている。具体的には、塞き止め面８２は、前後方向において、補充路４０における搬送方向の下流端と同じ位置に配置されている。
【０１１３】
形成部７８には、図４及び図８に示されるように、張出部８０の下面８５よりも上側に配置され、滞留空間７５に滞留する現像剤Ｇの上方への移動を規制する規制面８９が形成されている。前後方向視（回転ロール５０の軸方向視）にて、規制面８９は、路面８７の下端から右側（回転ロール５０の径方向外側）へ延びている。この規制面８９は、撹拌オーガ９０へ向かって下側を向く面である。さらに、規制面８９は、回転ロール５０の上端より下側に配置されている。規制面８９は、補充路４０の下端（下流端）よりも下側に配置されているともいえる。さらに、規制面８９は、第二路４６の上端（上流端）よりも下側に配置されているともいえる。また、規制面８９は、回転ロール５０の回転中心よりも上側に配置されている。換言すれば、規制面８９は、第二路４６を流通するトナーＴＮが接触しない位置に形成されているともいえる。
【０１１４】
さらに形成部７８には、前後方向視にて、規制面８９の右端から斜め右下側へ延びる傾斜面８８が形成されている。滞留空間７５は、塞き止め面８２、規制面８９及び傾斜面８８で区画された空間を含む空間ともいえる。
【０１１５】
滞留空間７５は、撹拌オーガ９０の回転中心の鉛直上方位置に対する第二路４６側とは反対側（右側）の領域を含んで設けられている。なお、図４に示される一点鎖線Ｈ１は、撹拌オーガ９０の回転中心Ｃ１から鉛直上方へ延ばした延長線である。なお、滞留空間７５は、第二路４６から、延長線Ｈ１に対する第二路４６側（左側）の範囲で延び出る構成であってもよい。
【０１１６】
滞留空間７５は、第二路４６から撹拌軸９８の回転方向上流側へ向かって形成されている。すなわち、滞留空間７５は、撹拌軸９８周りに、図４における反時計方向へ向かって延びている。換言すれば、滞留空間７５は、第二路４６から右側へ延びている。さらに換言すれば、本実施形態は、滞留空間７５の右端部（第二路４６から遠い端部）から第二路４６側（左側）へ向かって、撹拌オーガ９０が回転する構成ともいえる。なお、支持体７０自体を補充機構の一例と把握してもよい。
【０１１７】
〈回転ロール５０の動作〉
回転ロール５０では、図４に示されるように、回転スリーブ５０Ｂが矢印Ｂ方向に常時回転される。そして、回転ロール５０では、第一磁極Ｇ１、第二磁極Ｇ２及び第三磁極Ｇ３で形成される磁界によって、第一磁極Ｇ１の位置で、撹拌軸９８の大径部９８Ａの上流側（直上流部分９８Ｂ及び上流部分９８Ｃ）で滞留する現像剤Ｇが、回転スリーブ５０Ｂの外周に保持される。そして、回転スリーブ５０Ｂの回転により、現像剤Ｇが第三磁極Ｇ３まで搬送され、第三磁極Ｇ３の位置で保持が解除される。
【０１１８】
（現像装置の現像動作）
次に、現像装置３０の作用について説明する。
【０１１９】
図２に示される現像装置３０の筐体３２の内部では、回転する供給オーガ３８、及び回転する撹拌オーガ９０が、現像剤Ｇを撹拌しながら供給路３２Ｄと撹拌路３２Ｃとの間で循環させる。
【０１２０】
現像剤Ｇが撹拌されることで、現像剤Ｇ中のトナーＴＮと磁性キャリアとが擦れ、トナーＴＮが予め定められた極性に摩擦帯電する。
【０１２１】
図３に示される供給オーガ３８によって、現像ロール３４に現像剤Ｇが供給され、現像ロール３４に供給された現像剤Ｇは、マグネットロール３４Ａの磁力によって、現像ロール３４の表面に磁気ブラシ（図示省略）を形成した状態で保持される。
【０１２２】
そして、回転する回転スリーブ３４Ｂは、現像剤Ｇを感光体ドラム２０と対向する位置まで搬送する。
【０１２３】
感光体ドラム２０の現像ギャップまで搬送された現像剤Ｇに含まれるトナーＴＮが感光体ドラム２０に形成された静電潜像に付着し、静電潜像がトナー像として現像される。
【０１２４】
このように、現像装置３０は、用紙Ｐに画像を形成するための現像剤Ｇを感光体ドラム２０に供給する。そして、現像装置３０では、トナーＴＮの補充動作が、以下のように、行われる。
【０１２５】
〈トナーＴＮの補充動作〉
現像装置３０では、図４に示されるように、回転ロール５０の回転スリーブ５０Ｂが矢印Ｂ方向に常時回転し、第一磁極Ｇ１、第二磁極Ｇ２及び第三磁極Ｇ３で形成される磁界によって、第一磁極Ｇ１の位置で、撹拌軸９８の大径部９８Ａの上流側（直上流部分９８Ｂ及び上流部分９８Ｃ）で滞留する現像剤Ｇが、回転スリーブ５０Ｂの外周に保持される。そして、回転スリーブ５０Ｂの回転により、現像剤Ｇが第三磁極Ｇ３まで搬送され、第三磁極Ｇ３の位置で保持が解除される。
【０１２６】
すなわち、回転ロール５０が、撹拌軸９８の大径部９８Ａの上流側で滞留する現像剤Ｇを保持して、保持した該現像剤Ｇを、第一路４４及び、第二路４６を通過させる。そして、現像剤Ｇの消費により、撹拌路３２Ｃ内の現像剤Ｇの量が減少することで、撹拌軸９８の大径部９８Ａの上流側で滞留する現像剤Ｇが減少すると、補充機構３９では、回転ロール５０が保持する現像剤Ｇの量が減少し、第二路４６及び補充路４０が開放される。これにより、第二路４６及び補充路４０を通じて撹拌路３２ＣへのトナーＴＮが補充される。
【０１２７】
一方、トナーＴＮの補充により、撹拌路３２Ｃ内の現像剤Ｇの量が増加することで、塞き止め面８２の上流側で滞留する現像剤Ｇが増加すると、補充機構３９では、撹拌オーガ９０で搬送される現像剤Ｇが張出部８０の塞き止め面８２で塞き止められると共に、回転ロール５０が保持する現像剤Ｇの量が増加する。
【０１２８】
撹拌オーガ９０で搬送される現像剤Ｇが塞き止め面８２で塞き止められると、第二路４６に含む滞留空間７５に現像剤Ｇが滞留する。さらに、回転ロール５０が保持する現像剤Ｇが第二路４６に搬送され、滞留空間７５で滞留する現像剤Ｇに加えられて、第二路４６で滞留する現像剤Ｇが増加する。これにより、第二路４６及び補充路４０が現像剤Ｇで塞がれる。これにより、第二路４６及び補充路４０を通じた撹拌路３２ＣへのトナーＴＮの補充が停止される。すなわち、本実施形態では、現像剤Ｇが第二路４６及び補充路４０を塞ぐことで、トナーＴＮの補充を停止するシャッター性能が発揮される。
【０１２９】
（本実施形態に係る作用）
本実施形態では、滞留空間７５は、図４に示されるように、第二路４６を含み且つ第二路４６から回転ロール５０の径方向外側（右側）へ延び出た領域に設けられている。換言すれば、滞留空間７５は、第二路４６と、第二路４６を流通するトナーＴＮが通過しない領域と、を含んで設けられている。
【０１３０】
このため、滞留空間７５を有せず第二路４６のみで現像剤Ｇを滞留させる構成（図１０に示す第一構成）に比べ、滞留空間７５で滞留する現像剤Ｇ（以下、滞留現像剤という）の滞留量が多くなる。このため、第一構成に比べ、滞留現像剤が崩れにくく、回転ロール５０によって第二路４６に搬送された現像剤Ｇが、滞留現像剤で支持される。そして、回転ロール５０によって第二路４６に搬送された現像剤Ｇが、滞留現像剤を土台にして第二路４６に蓄積されていく。これにより、第一構成に比べ、第二路４６及び補充路４０が塞がれやすく、補充路４０から撹拌路３２Ｃへのトナーの補充を停止する性能（すなわち、シャッター性能）が向上する。
【０１３１】
また、本実施形態では、滞留空間７５は、塞き止め面８２で塞き止められることで、撹拌路３２Ｃから上側へ移動した現像剤Ｇを滞留させる。
【０１３２】
このため、張出部８０を有せず、塞き止め面８２で現像剤Ｇを塞き止めずに現像剤Ｇを滞留させる構成（第二構成）に比べ、現像剤Ｇが搬送方向の下流側へ流れず、現像剤Ｇの滞留状態が維持される。これにより、第二構成に比べ、補充路４０から撹拌路３２Ｃへのトナーの補充を停止する性能が向上する。
【０１３３】
また、本実施形態では、塞き止め面８２は、回転ロール５０における搬送方向の下流端よりも上流側に配置されている。このため、塞き止め面８２が回転ロール５０における搬送方向の下流端よりも下流側に配置される構成（第三構成）に比べ、回転ロール５０が保持可能な位置に現像剤Ｇが滞留しやすい。これにより、第三構成に比べ、補充路４０から撹拌路３２Ｃへのトナーの補充を停止する性能が向上する。
【０１３４】
また、本実施形態では、塞き止め面８２は、補充路４０における搬送方向の下流端に沿って配置されている。このため、塞き止め面８２が、補充路４０における搬送方向の下流端よりも下流側に配置される構成（第四構成）に比べ、補充路４０が存在する位置で、現像剤Ｇが滞留しやすい。これにより、第四構成に比べ、補充路４０から撹拌路３２Ｃへのトナーの補充を停止する性能が向上する。
【０１３５】
また、本実施形態では、塞き止め面８２が、張出部８０の搬送方向の上流端に形成されている。このため、塞き止め面８２が張出部８０とは別の部材に形成される構成に比べ、部品点数が低減される。
【０１３６】
また、本実施形態では、張出部８０には、滞留空間７５に滞留する現像剤Ｇの上方への移動を規制する規制面８９が形成されている。このため、滞留空間７５で滞留した現像剤Ｇの上方への移動が許容される構成（第五構成）に比べ、現像剤Ｇが上方へ流れず、現像剤Ｇの滞留状態が維持される。これにより、第五構成に比べ、補充路４０から撹拌路３２Ｃへのトナーの補充を停止する性能が向上する。
【０１３７】
また、本実施形態では、滞留空間７５は、撹拌オーガ９０の回転中心の鉛直上方位置に対する第二路４６側とは反対側（右側）の領域を含んで設けられている。このため、滞留空間７５が、撹拌オーガ９０の回転中心の鉛直上方位置に対する第二路４６側（左側）の領域のみに設けられる構成（第六構成）に比べ、撹拌オーガ９０から上方へ移動した現像剤Ｇを、広い範囲で滞留させられる。このため、第六構成に比べ、滞留する現像剤Ｇが崩れにくく、第二路４６及び補充路４０が塞がれやすくなる。これにより、第六構成に比べ、補充路４０から撹拌路３２Ｃへのトナーの補充を停止する性能が向上する。
【０１３８】
また、本実施形態では、滞留空間７５は、第二路４６から撹拌軸９８の回転方向上流側へ向かって形成されている。ここで、撹拌オーガ９０では、撹拌軸９８の回転により、第二羽根９２及び第三羽根９３等で現像剤Ｇを搬送するため、現像剤Ｇが第二羽根９２及び第三羽根９３等で押されることで回転方向の下流側へ流れやすい。したがって、撹拌路３２Ｃから上側へ移動する現像剤Ｇは、滞留空間７５が第二路４６から撹拌軸９８の回転方向下流側へのみ向かって形成される構成（第七構成）に比べ、滞留空間７５における第二路４６側（撹拌軸９８の回転方向の下流側（左側））へ流れやすい。
【０１３９】
このため、第七構成に比べ、現像剤Ｇが滞留空間７５における第二路４６で滞留し、補充路４０から撹拌路３２Ｃへのトナーの補充を停止する性能が向上する。
【０１４０】
また、本実施形態では、回転ロール５０を支持し且つ第二路４６及び滞留空間７５が設けられた支持体７０は、図５に示されるように、撹拌路３２Ｃが内部に形成された筐体３２とは別体とされている。このため、支持体７０を筐体３２から取り外すことで、回転ロール５０、第二路４６及び滞留空間７５が一体に筐体３２から分離される。これにより、回転ロール５０、第二路４６及び滞留空間７５の調整、交換及び保守点検（メンテナンス）などを、筐体３２から分離した状態で行える。
【０１４１】
このように、本実施形態では、補充路４０から撹拌路３２Ｃへのトナーの補充を停止する性能が向上するので、現像剤Ｇのトナー濃度の変動が抑制される。具体的には、撹拌路３２Ｃを搬送される現像剤Ｇのトナー濃度の上昇が抑制される。このように、現像剤Ｇのトナー濃度の上昇が抑制されるため、現像装置３０での現像不良が抑制され、用紙Ｐに形成されるトナー像の画質不良が抑制される。
【０１４２】
（変形例）
本実施形態では、滞留空間７５は、塞き止め面８２で塞き止められることで、撹拌路３２Ｃから上側へ移動した現像剤Ｇを滞留させていたが、これに限られない。例えば、大径部９８Ａのみで現像剤Ｇを滞留させる構成であってもよい。
【０１４３】
また、本実施形態では、塞き止め面８２は、回転ロール５０における搬送方向の上流端よりも下流側であって、回転ロール５０における搬送方向の下流端よりも上流側に配置されていたが、これに限られない。例えば、塞き止め面８２が回転ロール５０における搬送方向の上流端よりも上流側に配置される構成や、塞き止め面８２が回転ロール５０における搬送方向の下流端よりも下流側に配置される構成であってもよい。
【０１４４】
また、本実施形態では、塞き止め面８２は、補充路４０における搬送方向の下流端に沿って配置されていたが、これに限られない。例えば、塞き止め面８２が、補充路４０における搬送方向の下流端よりも下流側に配置される構成であってもよい。
【０１４５】
また、本実施形態では、塞き止め面８２が、張出部８０の搬送方向の上流端に形成されていたが、これに限られない。例えば、塞き止め面８２が張出部８０とは別の部材に形成される構成であってもよい。
【０１４６】
また、本実施形態では、張出部８０には、滞留空間７５に滞留する現像剤Ｇの上方への移動を規制する規制面８９が形成されていたが、これに限られない。例えば、現像剤Ｇが塞き止め面８２で塞き止められるのみである構成であってもよい。
【０１４７】
また、本実施形態では、滞留空間７５は、撹拌オーガ９０の回転中心の鉛直上方位置に対する第二路４６側とは反対側（右側）の領域を含んで設けられていたが、これに限られない。例えば、滞留空間７５が、撹拌オーガ９０の回転中心の鉛直上方位置に対する第二路４６側（左側）の領域のみに設けられる構成であってもよい。
【０１４８】
また、本実施形態では、滞留空間７５は、第二路４６から撹拌軸９８の回転方向上流側へ向かって形成されていたが、これに限られない。例えば、撹拌路３２Ｃから上側へ移動する現像剤Ｇは、滞留空間７５が第二路４６から撹拌軸９８の回転方向下流側のみへ向かって形成される構成であってもよい。
【０１４９】
また、本実施形態では、回転ロール５０を支持し且つ第二路４６及び滞留空間７５が設けられた支持体７０は、図５に示されるように、撹拌路３２Ｃが内部に形成された筐体３２とは別体とされていたが、これに限られない。例えば、回転ロール５０が筐体３２に支持され、第二路４６及び滞留空間７５が筐体３２に設けられる構成であってもよい。
【０１５０】
本発明は、上記の実施形態に限るものではなく、その主旨を逸脱しない範囲内において種々の変形、変更、改良が可能である。例えば、上記に示した変形例は、適宜、複数を組み合わせて構成してもよい。
【符号の説明】
【０１５１】
１０   画像形成装置
２０   感光体ドラム（潜像保持体の一例）
２２   転写ロール（転写部の一例）
３０   現像装置
３２Ｃ 撹拌路（搬送路の一例）
３９   補充機構
４０   補充路
４６   第二路（通路の一例）
５０   回転ロール（回転体の一例）
７０   支持体
７５   滞留空間（滞留部の一例）
８０   張出部
８２   塞き止め面
８９   規制面
９０   撹拌オーガ（搬送部材の一例）
９１   第一羽根（羽根の一例）
９２   第二羽根（羽根の一例）
９３   第三羽根（羽根の一例）
９４   第四羽根（羽根の一例）
９８   撹拌軸（軸部の一例）
Ｇ     現像剤
【図１】
2020046576.tif 000003
【図２】
2020046576.tif 000004
【図３】
2020046576.tif 000005
【図４】
2020046576.tif 000006
【図５】
2020046576.tif 000007
【図６】
2020046576.tif 000008
【図７】
2020046576.tif 000009
【図８】
2020046576.tif 000010
【図９】
2020046576.tif 000011
【図１０】
2020046576.tif 000012